(57)【特許請求の範囲】
【請求項１】
プラズマディスプレイパネルの裏面に取り付けられる第１の取付部材と、
前記プラズマディスプレイパネルと対向する面に、前記プラズマディスプレイパネルの取付位置に応じて固定され、前記第１の取付部材に嵌合する第２の取付部材とを備え、
前記プラズマディスプレイパネルの取付に際して、前記第１の取付部材および前記第２の取付部材を係合させて前記プラズマディスプレイパネルの落下を防止することができる状態から前記プラズマディスプレイパネルを横方向に移動させることにより、前記第１の取付部材を前記第２の取付部材に対し擦動させて横方向の位置決めを行えるようにし、
前記第１の取付部材は折り曲げ部が上側に位置する断面形状が略Ｖ字状の部材であり、前記第２の取付部材は折り曲げ部が下側に位置する断面形状が略Ｖ字状の部材であり、
前記第１の取付部材および前記第２の取付部材には、横方向の位置決めのための嵌合部がそれぞれ設けられていることを特徴とするプラズマディスプレイパネル取付装置。
【発明の詳細な説明】
【０００１】
【発明の属する技術分野】
本発明は、表示装置等として用いられるプラズマディスプレイ（以下、「ＰＤＰ」と称する。）装置を取り付けるためのＰＤＰ取付装置に関する。
【０００２】
【従来の技術】
ＰＤＰを壁面などに設置する場合には、図１０および図１１に示すよう取付装置が使用されている。図１０に示すように、ピン１０１ａ、１０１ｂを具備する一対の支え板１０１に対し、ＰＤＰ１の裏面に取り付けられた取付金具１０２を介してＰＤＰ１を取り付ける。ＰＤＰ１を支え板１０１にとりつけるには、ピン１０１ａおよび１０１ｂを、それぞれ取付金具１０２のピン挿入部１０２ａおよび１０２ｂに同時に差し込めばよい。
【０００３】
一方、図１１に示す装置では、ＰＤＰ１の裏面に取り付けられた取付具１０３を介して、壁面等に予め取り付けられたフランジ向けボルト１０４に対しＰＤＰ１を取り付けるようにしている。ＰＤＰ１を壁面等にとりつけるには、取付具１０３の４つのフランジ向けボルト１０３ａに４つのフランジ向けボルト１０４を同時に差し込めばよい。
【０００４】
【発明が解決しようとする課題】
しかし、従来の装置では、ＰＤＰを取付る際には一度に上下左右とも位置を決めて取付ねばならず、約５０ｋｇもある重いＰＤＰを取付るには困難な場合が多かった。とくに大画面のＰＤＰでは、裏面を見ながらその取付位置を調整することは不可能であり、取付部分を見ないまま、重量のあるＰＤＰを所定位置に取り付けることは極めて困難である。
【０００５】
本発明は、ＰＤＰの設置を容易に取り付けることができ、しかも安価なプラズマディスプレイパネル取付装置を提供することを目的とする。
【０００６】
上記の課題を解決するために、請求項１記載の発明は、プラズマディスプレイパネルの裏面に取り付けられる第１の取付部材と、前記プラズマディスプレイパネルの取付位置に応じて固定され、前記第１の取付部材に嵌合する第２の取付部材とを備え、前記プラズマディスプレイパネルの取付に際して、前記第１の取付部材および前記第２の取付部材とを係合させて前記プラズマディスプレイの落下を防止することができる状態から前記プラズマディスプレイを横方向に移動させることにより、前記第１の取付部を前記第２の取付部に対し擦動させて横方向の位置決めを行えるようにし、前記第１の取付部材は折り曲げ部が上側に位置する断面形状が略Ｖ字状の部材であり、前記第２の取付部材は折り曲げ部が下側に位置する断面形状が略Ｖ字状の部材であることを特徴とするプラズマディスプレイパネル取付装置。この発明によれば、壁面等に折り曲げ部が上側に位置する部材を取り付け、ＰＤＰ裏面に曲げ部が下側に位置する部材を取り付けることにより、ＰＤＰを壁面等に取付けた部材の上から下ろすことにより簡単にＰＤＰを壁面等に取付けることができる。
【０００７】
上記の課題を解決するために、請求項２記載の発明は、前記第１の取付部材および前記第２の取付部材には、横方向の位置決めのための嵌合部がそれぞれ設けられていることを特徴とする請求項１に記載のプラズマディスプレイパネル取付装置。
この発明によればＰＤＰの重量を取付部材に支持させ、ＰＤＰを略水平方向に動かすだけで壁面等とＰＤＰの略水平方向の位置合わせを行うことができる。
【０００８】
この発明によれば、壁面等にＶ字状なる断面のＶ字の折り曲げ部が上側に位置する部材を取り付け、ＰＤＰ裏面にＶ字の折り曲げ部が下側に位置する部材を取り付けることにより、ＰＤＰを壁面等に取付けた部材の上から下ろすことにより簡単にＰＤＰを壁面等に取付けることができる。
【０００９】
上記の課題を解決するために、請求項３記載の発明は、前記第１の取付部材および前記第２の取付部材は、金属板を折り曲げ加工して形成されていることを特徴とする請求項１に記載のプラズマディスプレイパネル取付装置。この発明によれば、壁面等に折り曲げ部が上側に位置する部材を取り付け、ＰＤＰ裏面に折り曲げ部が下側に位置する部材を取り付けることにより、ＰＤＰを壁面等に取付けた部材の上から下ろすことにより簡単にＰＤＰを壁面等に取付けることができる。
【００１０】
上記の課題を解決するために、請求項４記載の発明は、前記嵌合部は、前記第１の取付部材および前記第２の取付部材の一方に形成されたスリットと、前記第１の取付部材および前記第２の取付部材の他方に形成され、前記スリットに嵌合する突起とからなることを特徴とする請求項２に記載のプラズマディスプレイパネル取付装置。この発明によればＰＤＰの重量を取付部材に支持させ、ＰＤＰを略水平方向に動かすだけで壁面等とＰＤＰの略水平方向の位置合わせを行うことができる。
【００１１】
上記の課題を解決するために、請求項５記載の発明は、前記嵌合部は、前記第１の取付部材および前記第２の取付部材の一方に形成された凹部と、前記第１の取付部材および前記第２の取付部材の他方に形成され、前記凹部に嵌合する嵌合部とからなることを特徴とする請求項２に記載のプラズマディスプレイパネル取付装置。この発明によればＰＤＰの重量を取付部材に支持させ、ＰＤＰを略水平方向に動かすだけで壁面等とＰＤＰの略水平方向の位置合わせを行うことができる。上記の問題を解決するために、請求項６記載の発明は、前記第２の取付部材が取り付けられる移動スタンドを備えることを特徴とする請求項１〜５のいずれか１項に記載のプラズマディスプレイパネル取付装置。この発明によれば、ＰＤＰを簡単に移動可能かつ傾斜をつけられることが可能となり、設置条件を大きく緩和することが可能となる。上記の問題を解決するために、請求項７記載の発明は、前記第１の取付部材の取付角度を調整する角度調整機構を備えることを特徴とする請求項１〜６のいずれか１項に記載のプラズマディスプレイパネル取付装置。従来はＰＤＰ画面を傾斜させるには大がかりな取り付け装置が必要であったが、この発明によれば、簡易な構成なので取付制約条件が緩和される。
【００１２】
【発明の実施の形態】
以下、図１および図２を参照して、本発明のプラズマディスプレイパネル取付部材の一実施形態について説明する。
【００１３】
図１は本実施形態のプラズマディスプレイパネル取付装置を示す斜視図である。この取付装置は、ＰＤＰ１の裏面２に取付られる取付金具３と、壁面等に取付られる取付金具４とを備える。
【００１４】
取付金具３は一対の取付部材３Ａおよび３Ｂからなる。取付部材３Ａおよび３Ｂは、それぞれ金属板を断面がＶ字状となるように折り曲げ加工して形成される。図１に示すように、取付部材３Ａおよび３Ｂはその長手方向が略水平方向に向き、かつ、Ｖ字の折り曲げ部が上側に位置する方向でＰＤＰ１の裏面２に取付られる。これにより、取付部材３Ａおよび３Ｂの一端が、それぞれＰＤＰ１の裏面２から斜め下方に向けて突出する。
【００１５】
取付金具４は一対の取付部材４Ａおよび４Ｂからなる。取付部材４Ａおよび４Ｂは、それぞれ金属板を断面がＶ字状となるように折り曲げ加工して形成される。図１に示すように、取付部材４Ａおよび４Ｂはその長手方向が略水平方向に向き、かつ、Ｖ字の折り曲げ部が下側に位置する方向で壁面等に取付られる。これにより、取付部材４Ａおよび４Ｂの一端が、それぞれ壁面等から斜め上方向に向けて突出する。
【００１６】
図２は、取付部材３Ａおよび４Ａの嵌合部分を拡大して示す斜視図である。図２に示すように、取付部材３Ａの折り曲げ部であって、取付部材３Ａの長手方向における中央部分には、取付部材３Ａの長手方向に沿ってスリット５が形成される。図示は省略するが、取付部材３Ｂには取付部材３Ａと同様の位置に同様の形状のスリットが形成される。
【００１７】
また、取付部材４Ａの上記一端であって、取付部材３Ａの長手方向における中央部分には、取付部材３Ａのスリット５に対応する突起６が形成される。図示は省略するが、取付部材４Ｂには取付部材４Ａと同様の位置に同様の形状の突起が形成される。
【００１８】
次に、ＰＤＰ１を壁面等に取付る手順について説明する。
ＰＤＰ１を壁面等に近づけ、取付部材３Ａの上記一端が取付部材４Ａの上記一端の上方に位置するような位置からＰＤＰ１を下ろしていくと、取付部材３Ａの上記一端が取付部材４Ａの凹部に挿入されるような状態で、取付部材３Ａと取付部材４Ａとが係合（嵌合）する。また、このとき、取付部材、３Ｂと取付部材４Ｂとが同様に嵌合する。このように、取付部材３Ａと取付部材４Ａと、および取付部材３Ｂと取付部材４Ｂと、がそれぞれ嵌合することにより、ＰＤＰ１の上下方向が位置決めされる。したがって、ＰＤＰ１から手を離してもＰＤＰ１が落下するおそれがなくなる。その後、取付金具３および４をガイドとしてＰＤＰ１を左右方向にずらすと、取付部材３Ａのスリット５が取付部材４Ａの突起６の真上にきたとき、突起６がスリット５に嵌合して（挿入されて）、取付部材３Ａの左右方向が位置決めされる。同様に、取付部材３Ｂのスリットが取付部材４Ｂの突起の真上にきたとき、突起がスリットに嵌合して（挿入されて）、取付部材３Ｂの左右方向が位置決めされる。これにより、ＰＤＰは上下方向、左右方向とも位置決めされる。
【００１９】
このように本実施形態では、重量のあるＰＤＰ１を持ったまま上下左右について同時に位置決めする必要がなく、最初に上下方向のみ位置決めすればよいので、容易にＰＤＰ１を所定の位置に取り付けることができる。
【００２０】
図３は取付装置の別実施形態を示す斜視図である。図３に示すように、この実施形態では、取付部材４Ａに代わる取付部材４１Ａには、取付部材３Ａに代わる取付部材３１Ａと嵌合する部分に凹部７が形成される。取付部材４１Ａは、略水平方向の長さが取付部材３Ａよりも長くされている。そしてまた、凹部７の長さは、取付部材３Ａと同じ長さか、あるいはやや長くなるように設定されている。
【００２１】
取付部材３１Ａが取付部材４１Ａの上方に位置するような位置からＰＤＰ１を下ろしていくと、取付部材３１Ａと取付部材４１Ａとが係合し、ＰＤＰ１から手を離してもＰＤＰ１が落下するおそれがなくなる。その後、取付部材３１Ａの一端が取付部材４Ａの凹部に挿入されるまで、ＰＤＰ１を横方向にずらすことにより、ＰＤＰ１を位置決めすることができる。
【００２２】
図４はさらに他の実施形態を示す斜視図である。この例では、取付部材４Aと取付部材４Bとをキャリアブルスタンド８に取付けている。取付部材３Aおよび取付部材３B（図１）を取付たＰＤＰ1は、移動可能なキャリアブルスタンド８に取付られる。
【００２３】
図５はさらに他の実施形態を示す斜視図である。図５（ａ）に示すように、この実施形態では、壁に対して取り付けられ、略水平方向に長い取付部材９と、ＰＤＰ１の裏面に取り付けられる取付部材３Ａ（図１）とを組み合わせて構成される。取付部材３Aの折り曲げ部分であって、長手方向における中央部分には、取付部材３Ａの長手方向に沿ってスリット５が形成される（図２）。また、取付部材９の一端には、図２の突起６に相当する複数の突起が、取付部材９の長手方向に互いに離れて形成されている。このため、取付部材９のそれぞれの突起部分に合わせて取付部材３Ａを嵌合させることができるので、ＰＤＰ１を取付部材９の長手方向で任意に移動させ、設置することができる。
【００２４】
図５（ｂ）に示すように、例えば３台のプラズマディスプレイパネルを取付部材３Ａを介して、１つの取付部材９に取り付けてもよい。これにより、３台のプラズマディスプレイを用いた大画面表示に対応することができる。図５（ｂ）において、符号Ａはプラズマディスプレイパネルを設置する際のピッチ（間隔）を示している。
【００２５】
図６はさらに他の実施形態を示す図であり、壁面等に取付られたＰＤＰの側面図である。この取付治具は、ＰＤＰ（プラズマ・ディスプレイ・パネル）１の裏面２に取付られる取付部材３Aと、壁面等に取付られる取付部材４Aを備える。取り付け部材１１は、金属板を断面がL字状となるように折り曲げ加工して形成される。取付部材１０も、金属板を断面がL字状となるように折り曲げ加工して形成される。図１ではＰＤＰ１の裏面２に取付られる全ての取付部材は、金属板を断面がＶ字状となるように折り曲げ加工して形成されていた。しかし、簡易的には取付部材の一対だけがＶ字状となるように折り曲げ加工して形成されていれば、ＰＤＰ1の位置決めが行え、設置することができる。取付部材１０は取付部材１１の上面に重なるように設置され、この部分でＰＤＰ１の荷重の一部を支えることになる。尚、取付部材３Ａ、４Ａを簡易的なヒンジとして用いることができるため、ＰＤＰ１の裏面２へのコネクタ配線作業が容易となる。
【００２６】
図７および図８はさらに他の実施形態を示す図である。図７に示すように、取付部材３Aの一端部と取付部材１１の一端部とを固定部材２３に取り付けて固定し、取付部材３Aの他端部と取付部材１１の一端部とを固定部材２５に取り付け固定する。固定部材２３においてＰＤＰ１の表示面に対して垂直となる面には、略鉛直方向を長手方向とするスリット２４が設けられている。また、取付固定部材２５のＰＤＰ１の表示面に対して垂直となる面には、略鉛直方向を長手方向とするスリット２６が設けられている。
【００２７】
図８に示すように、壁面等には断面形状が略Ｖ字状の取付部材４２と、断面形状が略Ｌ字状の取付部材１２とが取り付けられる。また、取付部材４２と取付部材１２とは、固定部材１４および固定部材１５により互いに固定される。
【００２８】
固定部材１４および固定部材１５には、それぞれ、収納部１６と、収納部１６に対しスライド可能に、かつ図７（ｂ）の左方に付勢されて取り付けられたスライド部１７とからなる取付治具５０が取り付けられている。スライド部１７には取手１８が取り付けられている。
【００２９】
図７（ｂ）に示すように、ＰＤＰ1を壁面等に取り付ける際に、取付部材３Aおよび取付部材１１を壁面等側の取付部材４Aおよび取付部材１０にそれぞれ嵌合させると、スライド部１７がスリット２４に挿入され、壁面等が傾いても固定部材１４が固定部材２３と離れることはないため、ＰＤＰ１も壁面等と略水平な方向でとまる。同様に、固定部材１５が固定部材２５に対し固定される。
【００３０】
ＰＤＰ１を壁面等から取り外す際には、取手１８を壁面と平行に外側に引くことで、スライド部１７をスリット２４および２６から引き抜いたうえで、ＰＤＰ１を上方に持ち上げる。これにより、取付部材３Aと取付部材１０の勘合がはずれることになって、ＰＤＰ１を壁面等から離すことができる。
【００３１】
図９はさらに他の実施形態を示す図である。この実施形態は、角度調整機構を備える。
【００３２】
図９に示すように、角度調整機構は、壁面に取り付けられる一対の部材３２（図では１つのみ図示）と、ヒンジ部３１を介して部材３２に対し回転可能に取り付けられた一対の部材４０（図では１つのみ図示）とを備える。
【００３３】
本実施形態では、図８に示す構造を部材４０に取り付ける。すなわち、図８の取付部材４２を、取付穴２９および取付穴１９を介してボルトにより部材４０に取り付ける。また、図８の取付部材１２を、取付穴３０および取付穴２７を介してボルトにより部材４０に取り付ける。ここでは図示しないが取付部材４２の取付穴２０および取付部材１２の取付穴２８も同様に図示しないボルト等で図示しない部材４０に対し取付られる。
【００３４】
上記のように、部材４０は部材３２とヒンジ部３１で接続されており、部材４０は部材３２に対して自由に回転可能となっている。また部材３３はヒンジ部３４を介して部材４０に対し回転可能に取り付けられている。ネジ３５は部材３２と部材３３をつなげており、ネジ３５の締め込みを強くすると部材３２と部材３３は固定され、ネジ３５の締め込みを弱くすると、ネジ３５は部材３２に形成されたスリット３６に沿って移動可能となる。ネジ３５をスリット３６の範囲で可動させると部材４０と部材３３との角度αが自在に変化し、任意の位置（任意の角度α）でネジを締め付けることができる。すなわち壁面等に取付られた部材３２と部材４０と一体に動くＰＤＰ1は任意の角度αをもって壁面等から傾けて取り付けられる。
【００３５】
すなわち、角度αはＰＤＰ１と壁面等との角度をあらわし、ネジ３５によってＰＤＰ１の傾き角度αを調整し固定することができる。本実施例の角度調整機構は、上記各実施形態にも適用できる。
【００３６】
以上説明したように、上記各実施の形態では、ＰＤＰの裏面側に取付けた取付部材と壁面等に取付けた取付部材は、ＰＤＰを取付ようとする最初の段階では、ＰＤＰを上から下方向に移動し、壁面等の取付部材の上にＰＤＰの裏面側に取付けた取り付け部材を載せて、ＰＤＰの重量を取付部材で支持させることができる。その後に、ＰＤＰを横方向にずらせて取付部材の嵌合位置を決めるため、容易にＰＤＰを取付けることができるようになった。また取付部材が簡易な構造となったために、移動可能なスタンドにＰＤＰを取付られるようになった。また、ＰＤＰの画面を傾ける角度調整機構を備えることにより、ＰＤＰ画面を傾け、画面を任意の見やすい方向に向けることができるようになった。
【００３７】
【発明の効果】
本発明によれば、ＰＤＰを設置するために取付部材を使用することにより、設置する手間が大幅に向上する。また機構が簡単であるためＰＤＰを設置するためのコストを低減することができる。また取付部材は取付が容易なため、キャリアブルスタンドや屋内の壁など多種な場所にＰＤＰを設置することができる。また、ＰＤＰを容易に傾斜せられる機構をもつために、ＰＤＰを高い位置に設置した場合に、下から見やすい角度に傾き調整を行うことができる。
【図面の簡単な説明】
【図１】本実施形態の取付治具を示す斜視図。
【図２】取付部材３Ａおよび４Ａの嵌合部分を拡大して示す斜視図。
【図３】他の取付部材の嵌合部分を拡大して示す斜視図。
【図４】他の実施形態を示す斜視図。
【図５】他の実施形態を示す斜視図。
【図６】他の実施形態を示す壁面等に取り付けられたＰＤＰの側面図。
【図７】他の実施形態のＰＤＰ取付部分を示す斜視図。
【図８】他の実施形態の取付部材を示す斜視図。
【図９】角度調整機構を備える他の実施形態を示す図。
【図１０】従来の実施形態を示す斜視図。
【図１１】従来の実施形態を示す斜視図。
【符号の説明】
１：ＰＤＰ（プラズマディスプレイパネル）
２：ＰＤＰ１の裏面
３：取付金具  ３Ａ：取付部材  ３Ｂ：取付部材（第１の取付部材）
４：取付金具  ４Ａ：取付部材  ４Ｂ：取付部材（第２の取付部材）
５：スリット
６：突起
７：凹部
８：キャリアブルスタンド（移動スタンド）
９、１０、１１、１２、４２：取付部材
１４、１５、２３、２５：固定部材
１６：収納部
１７：スライド部
１８：取手
３２、３３、４０：部材
２４、２６：スリット
３１、３４：ヒンジ部
３１A、４１A：取付部材
３５：ネジ
３６：スリット
５０：取付治具
１０１：支え板
１０１ａ、１０１ｂ：ピン
１０２：取付金具
１０２ａ、１０２ｂ：ピン挿入部
１０３：取付具
１０３ａ、１０４：フランジ向けボルト
α：角度
【図１】
0004827328.tif 000002
【図２】
0004827328.tif 000003
【図３】
0004827328.tif 000004
【図４】
0004827328.tif 000005
【図５】
0004827328.tif 000006
【図６】
0004827328.tif 000007
【図７】
0004827328.tif 000008
【図８】
0004827328.tif 000009
【図９】
0004827328.tif 000010
【図１０】
0004827328.tif 000011
【図１１】
0004827328.tif 000012